(57)【要約】【課題】  鍔付きコネクタの鍔部を挿入・配置させるためのスペースを異物から保護することができ、しかも使い勝手が良好で部品を紛失する心配もないコネクタ装置を提供すること。【解決手段】  コネクタ装置２０は、庇部２６およびカム溝２１ａを有して本体装置に取着される筐体２１と、各コンタクト２２を配設して筐体２１内に昇降可能に収納されたハウジング２３と、カム溝２１ａに案内されるガイド突起２４ａを有してハウジング２３に対しスライド可能に係合しているコンタクトカバー２４と、コンタクトカバー２４を全閉位置（各コンタクト２２を蓋閉する位置）へ向けて常時付勢するコイルばね２５とによって概略構成されており、鍔付きコネクタ３０の装着時に鍔部３１でコンタクトカバー２４を押し込むことにより、該カバー２４が斜め下方へ移動してハウジング２３が下降するようになっている。【選択図】  図１
2005129258.tif 000002
【特許請求の範囲】
【請求項１】
鍔付きコネクタの鍔部が搭載される天板部を有すると共に複数のコンタクトが配設されたハウジングと、該ハウジングに対して前記複数のコンタクトを蓋閉する全閉位置と該コンタクトを露出させる全開位置との間でスライド可能に係合し、かつ該スライド方向と直交する幅方向の両端部にガイド突起を有するコンタクトカバーと、該コンタクトカバーを前記全閉位置へ向けて常時付勢する付勢部材と、両側壁からそれぞれ内方へ突出して前記天板部および前記コンタクトカバーの各両側部に対しオーバーラップする庇部を有し、かつ該両側壁にそれぞれ前記ガイド突起を挿通して案内するカム溝を有して前記ハウジングを昇降可能に収納した筐体とを備え、
前記鍔付きコネクタの装着時に前記コンタクトカバーが前記鍔部に押し込まれて前記全閉位置から前記全開位置へと移動していくスライド後退動作に伴い、前記ガイド突起が前記カム溝に沿って斜め下方へ移動して該コンタクトカバーが前記ハウジングを下降させると共に、前記鍔付きコネクタの複数のコンタクト片が前記複数のコンタクトと接触するように構成したことを特徴とするコネクタ装置。
【請求項２】
請求項１の記載において、前記庇部の前記内方への突出量が前記鍔部の挿入方向手前側では奥側よりも少なく、前記鍔部の挿入開始時には前記コンタクトカバーの先端部を押し込む該鍔部の幅狭部分に対し前記手前側の庇部がオーバーラップせず、該コンタクトカバーの前記スライド後退動作に伴って前記ハウジングが所定量下降した後に、前記鍔部の前記幅狭部分に対し前記奥側の庇部がオーバーラップすると共に、該鍔部の幅広部分に対し前記手前側の庇部がオーバーラップするように構成したことを特徴とするコネクタ装置。
【請求項３】
請求項２の記載において、前記コンタクトカバーの先端近傍部分が、該コンタクトカバーの前記スライド後退動作が完了した後に前記鍔部の前記幅狭部分を摺動させるための傾斜面となっていることを特徴とするコネクタ装置。
【請求項４】
請求項１〜３のいずれか１項の記載において、前記複数のコンタクトの基端側からそれぞれ屈曲部を介して端子部が導出されていると共に、前記ハウジングが、前記複数のコンタクトをそれぞれ複数の凹溝内に載置したベース部材と、前記複数の屈曲部を保持して前記複数の端子部を前記ベース部材上に弾接せしめた保持部材とを備え、該保持部材に前記天板部が設けられていることを特徴とするコネクタ装置。
【請求項５】
請求項１〜４のいずれか１項の記載において、前記筐体の前記両側壁にそれぞれ前記カム溝よりも前記鍔部の挿入方向奥側に位置して前記ハウジングの昇降方向に延びる補助カム溝を設けると共に、前記ハウジングの幅方向両端部にそれぞれ前記補助カム溝に挿通されて昇降方向に案内される補助ガイド突起を設けたことを特徴とするコネクタ装置。
【発明の詳細な説明】
【技術分野】
【０００１】
本発明は、ビデオカメラ等において外部ライト等の付属装置（アクセサリ）を接続するために本体装置側に取り付けられるコネクタ装置に関する。
【背景技術】
【０００２】
ビデオカメラ等の本体装置には一般に、外部ライト等の付属装置を接続するためのホットシューと称されるコネクタ装置が取り付けられている。この種のコネクタ装置は、付属装置側に取り付けられる鍔付きコネクタを装着することによって、該付属装置を本体装置に対して電気的かつ機械的に接続させるというものであり、従来技術としては図１４に示すようなコネクタ装置１が知られている（例えば、特許文献１参照）。
【０００３】
図１４に示す従来のコネクタ装置１は、鍔付きコネクタ１０を着脱可能に装着するためのものである。このコネクタ装置１は、図示せぬ本体装置に取り付けられる金属板製の筐体２と、図示せぬ複数のコンタクトを配設して筐体２内に収納固定されたハウジング３と、前記コンタクトを蓋閉する全閉位置と該コンタクトを露出させる全開位置との間でスライド可能なコンタクトカバー４と、コンタクトカバー４を前記全閉位置へ向けて常時付勢する図示せぬコイルばねとによって概略構成されており、各コンタクトから導出された複数の端子部がハウジング３内の奥部で図示せぬフレキシブル基板に接続され、このフレキシブル基板を介して本体装置と電気的に接続されるようになっている。筐体２には、その両側壁の上端部を内方へ折り曲げて形成された一対の庇部５が設けられている。ハウジング３の上面で各庇部５と対向する両縁部分は、鍔付きコネクタ１０の鍔部１１を摺動可能に搭載するための帯状搭載面６となっており、これら一対の帯状搭載面６の間に配置されたコンタクトカバー４が帯状搭載面６の延出方向に沿って往復移動可能となっている。
【０００４】
一方、鍔付きコネクタ１０は平面視略コ字形の鍔部１１を有する凸状の部材であって、図示せぬ付属装置を取り付けるための複数のねじ孔１２が設けられている。この鍔付きコネクタ１０には、ばね性が付与された図示せぬ複数のコンタクト片が配設されており、各コンタクト片の下端部は鍔部１１よりも下方へ突出している。各コンタクト片からは上方へ図示せぬ端子部が導出されており、これらの端子部が付属装置と電気的に接続されるようになっている。また、鍔付きコネクタ１０の底面側には複数のコンタクト片の近傍に、図示せぬ一対の突条部が設けられている。
【０００５】
鍔付きコネクタ１０が装着されていないときには、図１４に示すように、コネクタ装置１のコンタクトカバー４は前記コイルばねの付勢力によって全閉位置に保持されており、それゆえ前記コンタクトは蓋閉状態に保たれて塵埃や異物の付着が防止されている。また、付属装置を接続するために鍔付きコネクタ１０をコネクタ装置１に装着する際には、庇部５と帯状搭載面６との間へ鍔付きコネクタ１０の鍔部１１を挿入していき、庇部５をオーバーラップさせた状態で鍔部１１を帯状搭載面６上で摺動させる。この挿入動作によって鍔部１１はコネクタ装置１の奥側へと移動していくが、鍔部１１が所定量移動すると鍔付きコネクタ１０の前記突条部がコンタクトカバー４の前端に当接するので、前記コイルばねの付勢力に抗して鍔部１１をさらに挿入していけば、コンタクトカバー４は全閉位置から奥側へ押し込まれて全開位置までスライド後退していく。そして、かかるコンタクトカバー４のスライド後退動作に伴って露出する前記コンタクト上に、鍔付きコネクタ１０の対応する前記コンタクト片が弾接するように位置合わせしてあることから、コンタクトカバー４が全開位置まで押し込まれた時点で鍔付きコネクタ１０はコネクタ装置１と電気的に接続された状態に保たれている。
【０００６】
このほか、他の従来技術として、コンタクトカバーを随時着脱できるように構成したコネクタ装置も提案されている（例えば、特許文献２参照）。かかるコネクタ装置は、付属装置側の鍔付きコネクタを装着するときにはコンタクトカバーを抜き取ってコンタクトを露出させ、それ以外のときはコンタクトカバーを取り付けてコンタクトを保護するというものである。
【特許文献１】特開平９−１６３２００号公報（第３−４頁、図１）
【特許文献２】実開平７−４１５３９号公報（第７−１２頁、図４）
【発明の開示】
【発明が解決しようとする課題】
【０００７】
図１４に示す従来のコネクタ装置１では、鍔付きコネクタ１０が装着されていないときに、コンタクトカバー４が全閉位置に保持されているためコンタクトを保護することはできるが、鍔部１１を挿入・配置させるために庇部５と帯状搭載面６との間に画成されているスペース（係合凹所Ｓ）は露出したままなので、この係合凹所Ｓに異物が固着したり挟まるなどして鍔部１１の挿入に支障をきたす虞があった。
【０００８】
これに対して、コンタクトカバーが随時着脱できるように構成されている前記従来のコネクタ装置の場合、鍔付きコネクタの鍔部を挿入・配置させるためのスペースにコンタクトカバーの一部を挿入しておくことにより、該スペースを異物から保護することができる。しかしながら、このものは、鍔付きコネクタの装着時にコンタクトカバーを抜き取って保管しておかなければならないため煩雑で使い勝手が悪く、コンタクトカバーを紛失してしまう虞もあった。
【０００９】
本発明は、このような従来技術の実情に鑑みてなされたもので、その目的は、鍔付きコネクタの鍔部を挿入・配置させるためのスペースを異物から保護することができ、しかも使い勝手が良好で部品を紛失する心配もないコネクタ装置を提供することにある。
【課題を解決するための手段】
【００１０】
上述した目的を達成するため、本発明のコネクタ装置では、鍔付きコネクタの鍔部が搭載される天板部を有すると共に複数のコンタクトが配設されたハウジングと、該ハウジングに対して前記複数のコンタクトを蓋閉する全閉位置と該コンタクトを露出させる全開位置との間でスライド可能に係合し、かつ該スライド方向と直交する幅方向の両端部にガイド突起を有するコンタクトカバーと、該コンタクトカバーを前記全閉位置へ向けて常時付勢する付勢部材と、両側壁からそれぞれ内方へ突出して前記天板部および前記コンタクトカバーの各両側部に対しオーバーラップする庇部を有し、かつ該両側壁にそれぞれ前記ガイド突起を挿通して案内するカム溝を有して前記ハウジングを昇降可能に収納した筐体とを備え、前記鍔付きコネクタの装着時に前記コンタクトカバーが前記鍔部に押し込まれて前記全閉位置から前記全開位置へと移動していくスライド後退動作に伴い、前記ガイド突起が前記カム溝に沿って斜め下方へ移動して該コンタクトカバーが前記ハウジングを下降させると共に、前記鍔付きコネクタの複数のコンタクト片が前記複数のコンタクトと接触するように構成した。
【００１１】
このように構成されたコネクタ装置は、鍔付きコネクタが装着されていないときに、全閉位置にあるコンタクトカバーの両側部とハウジングの天板部の両側部とを鍔付きコネクタの鍔部を挿入・配置させるためのスペースに位置させておくことができるので、該スペースを異物から保護することが可能となる。ただし、鍔付きコネクタの装着時には、鍔部に押し込まれるコンタクトカバーが斜め下方へスライドしていくと共にハウジングが下降していくので、該スペースは露出する。また、装着した鍔付きコネクタを離脱させるときには、付勢部材の付勢力でコンタクトカバーは全閉位置へ押し戻され、それに伴いハウジングも元の高さ位置へ押し上げられるので、コンタクトと該スペースとを保護した初期状態へ自動復帰することとなり、よって使い勝手が良好で部品を紛失する心配もない。
【００１２】
かかる構成のコネクタ装置において、前記庇部の前記内方への突出量が前記鍔部の挿入方向手前側では奥側よりも少なく、鍔部の挿入開始時にはコンタクトカバーの先端部を押し込む該鍔部の幅狭部分に対し手前側の庇部がオーバーラップせず、該コンタクトカバーのスライド後退動作に伴ってハウジングが所定量下降した後に、鍔部の前記幅狭部分に対し奥側の庇部がオーバーラップすると共に、該鍔部の幅広部分に対し手前側の庇部がオーバーラップするように構成しておけば、コンタクトカバーを十分に下降させてから鍔部の幅狭部分と幅広部分を共に庇部の下方へ挿入することができるため、鍔部を簡単かつ確実に挿入・配置させることができて好ましい。この場合において、コンタクトカバーの先端近傍部分が、該コンタクトカバーのスライド後退動作が完了した後に鍔部の前記幅狭部分を摺動させるための傾斜面となっていれば、鍔部の挿入動作時に、全開位置まで押し込まれたコンタクトカバーの該傾斜面に乗り上げる鍔部を前記天板部上へ円滑に案内することができるため好ましい。
【００１３】
また、かかる構成のコネクタ装置において、前記複数のコンタクトの基端側からそれぞれ屈曲部を介して端子部が導出されていると共に、前記ハウジングが、前記複数のコンタクトをそれぞれ複数の凹溝内に載置したベース部材と、前記複数の屈曲部を保持して前記複数の端子部を前記ベース部材上に弾接せしめた保持部材とを備え、該保持部材に前記天板部が設けられていれば、コンタクトカバーの退避スペースを確保した保持部材をベース部材と一体化して構成されるハウジングの内奥部で、各端子部とベース部材との間にフレキシブル基板を挟み込んで接続させるという簡便な構造が採用できるため好ましい。
【００１４】
また、かかる構成のコネクタ装置において、前記筐体の両側壁にそれぞれ前記カム溝よりも前記鍔部の挿入方向奥側に位置して前記ハウジングの昇降方向に延びる補助カム溝を設けると共に、前記ハウジングの幅方向両端部にそれぞれ前記補助カム溝に挿通されて昇降方向に案内される補助ガイド突起を設けておけば、コンタクトカバーに追動するハウジングの昇降動作をより円滑に行うことができるため好ましい。
【発明の効果】
【００１５】
本発明のコネクタ装置は、鍔付きコネクタが装着されていないとき、全閉位置にあるコンタクトカバーとハウジングの天板部の各両側部を、鍔付きコネクタの鍔部を挿入・配置させるためのスペースに位置させることができ、鍔付きコネクタの装着時にはコンタクトカバーが斜め下方へスライドしてハウジングも下降するように構成されている。したがって、該スペースを異物から保護することができ、鍔部の挿入動作に支障をきたす心配もない。また、このコネクタ装置のコンタクトカバーは、挿入時の鍔部に押し込まれて全開位置へと移動し、付勢部材の付勢力によって全閉位置へ押し戻されるというものであり、ハウジングはコンタクトカバーに追動して昇降するというものなので、使い勝手が良好で部品を紛失する心配もない。
【発明を実施するための最良の形態】
【００１６】
発明の実施の形態を図面を参照して説明すると、図１は本発明の第１実施形態例に係るコネクタ装置に鍔付きコネクタを装着させる様子を示す説明図、図２は該コネクタ装置の分解斜視図、図３は該コネクタ装置を筐体を図示省略して示す斜視図、図４は図３においてベース部材を図示省略した斜視図、図５は図４に示す構成部材を底面側から見た斜視図、図６は該コネクタ装置の平面図、図７は図６のＡ−Ａ線に沿う断面図、図８は図６のＢ−Ｂ線に沿う断面図、図９は該コネクタ装置の底面図、図１０は図１に示す鍔付きコネクタの底面図、図１１は該コネクタ装置のコンタクトカバー全開状態を示す斜視図である。
【００１７】
これらの図に示すコネクタ装置２０は、鍔付きコネクタ３０を着脱可能に装着するためのものである。このコネクタ装置２０は、カム溝２１ａを有してビデオカメラ等の図示せぬ本体装置に取り付けられる金属板製の筐体２１と、複数のコンタクト２２を配設して筐体２１内に昇降可能に収納されたハウジング２３と、カム溝２１ａに案内されるガイド突起２４ａを有すると共に、ハウジング２３に対して各コンタクト２２を蓋閉する全閉位置と各コンタクト２２を露出させる全開位置との間でスライド可能に係合しているコンタクトカバー２４と、コンタクトカバー２４を全閉位置へ向けて常時付勢する付勢部材である一対のコイルばね２５とによって概略構成されており、各コンタクト２２の基端側からそれぞれ屈曲部２２ａを介して端子部２２ｂが導出されている（図７参照）。このコネクタ装置２０は、各コンタクト２２から導出された複数の端子部２２ｂがハウジング２３内の奥部で図示せぬフレキシブル基板に接続され、このフレキシブル基板を介して本体装置と電気的に接続されるようになっている。
【００１８】
筐体２１には、その両側壁の上端部を内方へ折り曲げて形成された一対の庇部２６が設けられており、各庇部２６の内方への突出量は開口端２１ｂ側では少なく閉端２１ｃ側ではそれよりも多くなっているため、図６に示すように一対の庇部２６どうしの間隔は開口端２１ｂ側で広く閉端２１ｃ側で狭くなっている。カム溝２１ａは、筐体２１の両側壁の相対向する位置にそれぞれ形成されている。このカム溝２１ａの形状は傾斜部分の両端に短い水平部分を有するというものであり、開口端２１ｂ側から閉端２１ｃ側へ向かって斜め下方へ延びる溝形状となっている。また、筐体２１の底面側には、本体装置と機械的に接続するための取付片２１ｄが設けられている。
【００１９】
ハウジング２３は、複数のコンタクト２２をそれぞれ複数の凹溝２７ａ内に載置したベース部材２７と、複数の屈曲部２２ａを保持して複数の端子部２２ｂをベース部材２７上に弾接せしめた保持部材２８とによって構成されており、保持部材２８の脚部２８ａをベース部材２７の透孔２７ｂに挿通して融着することにより両者２７，２８が一体化されている。ベース部材２７には、筐体２１の開口端２１ｂの近傍で昇降する左右一対の搭載面２７ｃと、各コイルばね２５が配置される左右一対のＵ字溝２７ｄとが設けられており、鍔付きコネクタ３０の鍔部３１の幅広部分３１ａが搭載面２７ｃ上に搭載されるようになっている。また、保持部材２８には、コンタクトカバー２４の低背部２４ｂを出没させる収容スペース２８ｂ（図７参照）と、この収容スペース２８ｂを覆う天板部２８ｃと、コイルばね２５の一端が常時弾接する一対のばね受け面２８ｄ（図５参照）とが設けられており、鍔付きコネクタ３０の鍔部３１の幅狭部分３１ｂが天板部２８ｃ上に搭載されるようになっている。なお、図６や図７に示すように、保持部材２８の天板部２８ｃの両側部はほとんど庇部２６の下方に位置しており、ハウジング２３が筐体２１内で許容された最上部に配置されているとき、天板部２８ｃと庇部２６との間には僅かなクリアランスが存するのみである。
【００２０】
コンタクトカバー２４には、筐体２１のカム溝２１ａに挿通される左右一対のガイド突起２４ａと、両ガイド突起２４ａを連結している角柱状の被押圧部２４ｃと、被押圧部２４ｃの後方に延びる低背部２４ｂと、コイルばね２５の他端が常時弾接する一対のばね受け部２４ｄとが設けられている。また、被押圧部２４ｃは、筐体２１の開口端２１ｂ側の先端面２４ｅと上面との間が傾斜面２４ｆとなっている。この被押圧部２４ｃは鍔付きコネクタ３０の装着時に鍔部３１に押し込まれる部位であって、コンタクトカバー２４が保持部材２８に対してスライドしても被押圧部２４ｃの上面と天板部２８ｃの上面は常に略同等の高さ位置に保たれる（図７参照）。また、図６や図７に示すように、被押圧部２４ｃの両側部は庇部２６の下方に位置しており、ハウジング２３が筐体２１内で許容された最上部に配置されているとき被押圧部２４ｃと庇部２６との間には僅かなクリアランスが存するのみである。
【００２１】
一方、外部ライト等の図示せぬ付属装置に取り付けられる鍔付きコネクタ３０は、図１や図１０に示すように、幅広部分３１ａおよび幅狭部分３１ｂを有する鍔部３１を突設した凸状の部材である。この鍔付きコネクタ３０には、ばね性が付与された複数のコンタクト片３２が配設されており、各コンタクト片３２の下端部は鍔部３１よりも下方へ突出している。各コンタクト片３２からは上方へ図示せぬ端子部が導出されており、これらの端子部が付属装置と電気的に接続されるようになっている。
【００２２】
次に、コネクタ装置２０の動作について説明する。鍔付きコネクタ３０が装着されていないときには、図１や図６〜図８等に示すように、コネクタ装置２０のコンタクトカバー２４はコイルばね２５の付勢力によって全閉位置に保持されている。そのため、各コンタクト２２は蓋閉状態に保たれて塵埃や異物の付着が防止されている。また、こうしてコンタクトカバー２４が全閉位置に保持されているとき、被押圧部２４ｃの両側部と保持部材２８の天板部２８ｃの両側部は、庇部２６の下方に僅かなクリアランスを存して配置されている。ここで、庇部２６の下方は鍔付きコネクタ３０の鍔部３１を挿入・配置させるためのスペースであるが、該スペースは被押圧部２４ｃや天板部２８ｃによってほぼ塞がれているため異物から保護されている。
【００２３】
付属装置を接続するために鍔付きコネクタ３０をコネクタ装置２０に装着する際には、鍔付きコネクタ３０の鍔部３１を開口端２１ｂ側から庇部２６の下方へ挿入していく。このとき、鍔部３１はまず幅狭部分３１ｂがコンタクトカバー２４の先端面２４ｅに当接し、コイルばね２５の付勢力に抗して該幅狭部分３１ｂが該先端面２４ｅを挿入方向奥側へ押し込んでいくと、コンタクトカバー２４のガイド突起２４ａがカム溝２１ａに案内されながら斜め下方へ移動していく。ただし、コンタクトカバー２４はハウジング２３（ベース部材２７および保持部材２８）に対しては前後方向にスライド可能なので、コンタクトカバー２４が筐体２１に対して斜め下方へ移動すると、ハウジング２３は筐体２１内で下降する。そして、かかるコンタクトカバー２４のスライド後退動作に伴って各コンタクト２２が露出するようになり、コンタクトカバー２４が全開位置まで押し込まれると鍔部３１のさらなる挿入動作によって、鍔部３１は先端面２４ｅから傾斜面２４ｆへ乗り上げて天板部２８ｃ上へ円滑に移動していく（図１１参照）。その結果、庇部２６の幅広部分（閉端２１ｃ側）と幅狭部分（開口端２１ｂ側）がそれぞれ、鍔部３１の幅狭部分３１ｂと幅広部分３１ｃに対してオーバーラップすると共に、各コンタクト２２上にそれぞれ鍔付きコネクタ３０の対応するコンタクト片３２が弾接し、鍔付きコネクタ３０はコネクタ装置２０と電気的に接続された状態となる。
【００２４】
なお、こうして装着した鍔付きコネクタ３０をコネクタ装置２０から離脱させる際には、鍔部３１を挿入時とは逆向きに移動させて開口端２１ｂから抜き取るが、かかる鍔部３１の抜き取り動作に伴い、コンタクトカバー２４はコイルばね２５の付勢力によって開口端２１ｂ側へ押し戻され、ガイド突起２４ａがカム溝２１ａに案内されながら斜め上方へ移動していく。それゆえ、コンタクトカバー２４に追動してハウジング２３が上昇し、鍔部３１が開口端２１ｂから完全に抜き取られると、コンタクトカバー２４は全閉位置まで押し戻されて、図１や図７に示すように各コンタクト２２を蓋閉した初期状態へ自動復帰すると共に、庇部２６の下方のスペースが被押圧部２４ｃや天板部２８ｃによってほぼ塞がれた状態に戻る。
【００２５】
このように本実施形態例に係るコネクタ装置２０は、鍔付きコネクタ３０が装着されていないとき、全閉位置にあるコンタクトカバー２４の被押圧部２４ｃとハウジング２３の天板部２８ｃの各両側部が、鍔部３１を挿入・配置させるためのスペースに位置して該スペースを異物から保護しており、かつ鍔付きコネクタ３０の装着時にはコンタクトカバー２４が斜め下方へスライドしてハウジング２３も下降するように構成されているので、鍔部３１を該スペース内へ確実に挿入することができる。また、このコネクタ装置２０のコンタクトカバー２４は、挿入時の鍔部３１に押し込まれて全開位置へと移動し、コイルばね２５の付勢力によって全閉位置へ押し戻されるというものであり、ハウジング２３はコンタクトカバー２４に追動して昇降するというものなので、使い勝手が良好で部品を紛失する心配もない。なお、このコネクタ装置２０では、鍔部３１の挿入開始時にはコンタクトカバー２４の先端面２４ｅを押し込む該鍔部３１の幅狭部分３１ｂに対し手前側（開口端２１ｂ側）の庇部２６がオーバーラップせず、コンタクトカバー２４のスライド後退動作に伴ってハウジング２３が所定量下降した後に、鍔部３１の幅狭部分３１ｂに対し奥側（閉端２１ｃ側）の庇部２６がオーバーラップすると共に、鍔部３１の幅広部分３１ａに対し手前側の庇部２６がオーバーラップするように構成されているので、コンタクトカバー２４を十分に下降させてから鍔部３１の幅狭部分３１ｂと幅広部分３１ａを共に庇部２６の下方へ挿入することができ、該鍔部３１を簡単かつ確実に挿入・配置させることができる。
【００２６】
図１２は本発明の第２実施形態例に係るコネクタ装置の斜視図、図１３は該コネクタ装置のコンタクトカバー全開状態を示す斜視図であって、図１〜図１１と対応する部分には同一符号が付してある。
【００２７】
図１２および図１３に示すコネクタ装置４０では、筐体２１の両側壁にそれぞれコンタクトカバー２４用のカム溝２１ａよりも閉端２１ｃ側に位置してハウジング２３（ベース部材２７および保持部材２８）の昇降方向に延びる補助カム溝２１ｅが設けてあると共に、保持部材２８の幅方向両端部にそれぞれ補助カム溝２１ｅに挿通されて昇降方向に案内される補助ガイド突起２８ｅが設けてある。これにより、コネクタ装置４０は第１実施形態例のコネクタ装置２０に比べて、コンタクトカバー２４に追動するハウジング２３の昇降動作をより円滑に行うことができる。なお、かかる補助カム溝２１ｅと補助ガイド突起２８ｅを設けた点を除いて、コネクタ装置４０の構成は前記コネクタ装置２０と同等である。
【図面の簡単な説明】
【００２８】
【図１】本発明の第１実施形態例に係るコネクタ装置に鍔付きコネクタを装着させる様子を示す説明図である。
【図２】該コネクタ装置の分解斜視図である。
【図３】該コネクタ装置を筐体を図示省略して示す斜視図である。
【図４】図３においてベース部材を図示省略した斜視図である。
【図５】図４に示す構成部材を底面側から見た斜視図である。
【図６】該コネクタ装置の平面図である。
【図７】図６のＡ−Ａ線に沿う断面図である。
【図８】図６のＢ−Ｂ線に沿う断面図である。
【図９】該コネクタ装置の底面図である。
【図１０】図１に示す鍔付きコネクタの底面図である。
【図１１】図１に示すコネクタ装置のコンタクトカバー全開状態を示す斜視図である。
【図１２】本発明の第２実施形態例に係るコネクタ装置の斜視図である。
【図１３】図１２に示すコネクタ装置のコンタクトカバー全開状態を示す斜視図である。
【図１４】従来例に係るコネクタ装置の説明図である。
【符号の説明】
【００２９】
２０  コネクタ装置
２１  筐体
２１ａ  カム溝
２１ｂ  開口端
２１ｅ  補助カム溝
２２  コンタクト
２２ａ  屈曲部
２２ｂ  端子部
２３  ハウジング
２４  コンタクトカバー
２４ａ  ガイド突起
２４ｃ  被押圧部
２４ｆ  傾斜面
２５  コイルばね（付勢部材）
２６  庇部
２７  ベース部材
２７ａ  凹溝
２７ｃ  搭載面
２８  保持部材
２８ｃ  天板部
２８ｅ  補助ガイド突起
３０  鍔付きコネクタ
３１  鍔部
３２  コンタクト片
【図１】
2005129258.tif 000003
【図２】
2005129258.tif 000004
【図３】
2005129258.tif 000005
【図４】
2005129258.tif 000006
【図５】
2005129258.tif 000007
【図６】
2005129258.tif 000008
【図７】
2005129258.tif 000009
【図８】
2005129258.tif 000010
【図９】
2005129258.tif 000011
【図１０】
2005129258.tif 000012
【図１１】
2005129258.tif 000013
【図１２】
2005129258.tif 000014
【図１３】
2005129258.tif 000015
【図１４】
2005129258.tif 000016